【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
無線ネットワーク通信における支配的な干渉を緩和する方法であって、
複数の通信デバイスによって利用される１または複数の制御チャネルに対する支配的な干渉を判定することと、
前記１または複数の制御チャネルのうち、前記支配的な干渉を低減するためにブランクすべき少なくとも一部を選択することと、
前記１または複数の制御チャネルのうちの前記選択された部分における電力の少なくとも一部をブランクすることと
を備え、
ブランクした後に１または複数の制御チャネルにわたってデバイス間で生じる通信は、前記デバイスの信号電力または信号対雑音比に関係なく達成される、方法。
【請求項２】
前記複数の通信デバイスによって利用される前記１または複数の制御チャネルに対して引き起こされた干渉を示すインジケーションを受信することをさらに備える、請求項１に記載の方法。
【請求項３】
前記通信デバイスのうちの少なくとも１つによって干渉を受けている帯域幅の一部に関する情報を、前記通信デバイスによって前記一部をブランクすることを要求するために、前記通信デバイスに送信することをさらに備える、請求項２に記載の方法。
【請求項４】
前記干渉を示すインジケーションが、プリアンブルに少なくとも部分的に基づいた前記デバイスのパス・ロスに関連する推論から得られる、請求項２に記載の方法。
【請求項５】
前記干渉を示すインジケーションが、前記複数の通信デバイスのうちの１または複数から受信される、請求項２に記載の方法。
【請求項６】
ブランクすることが望まれる前記１または複数の制御チャネルのサブセットに関する情報を、前記通信デバイスのうちの少なくとも１つから受信することをさらに備える、請求項１に記載の方法。
【請求項７】
前記ブランクすることを補償するために、帯域幅の別の部分において高い電力で送信することをさらに備える、請求項１に記載の方法。
【請求項８】
無線通信装置であって、
複数の通信デバイスによって利用される１または複数の制御チャネルに対する支配的な干渉を判定することと、
前記１または複数の制御チャネルのうち、前記支配的な干渉を低減するためにブランクすべき少なくとも一部を選択することと、
前記１または複数の制御チャネルのうちの前記選択された部分における電力の少なくとも一部をブランクすることと
を行うように構成された少なくとも１つのプロセッサと、
前記少なくとも１つのプロセッサに結合されたメモリと
を備え、
ブランクした後に１または複数の制御チャネルにわたってデバイス間で生じる通信は、前記デバイスの信号電力または信号対雑音比に関係なく達成される、無線通信装置。
【請求項９】
前記ブランクすることは、フレームのセット内の前記制御チャネルのうちの前記制御チャネルのサブセットにわたって実行され、おのおののフレームは、複数のＯＦＤＭシンボルを備える、請求項８に記載の無線通信装置。
【請求項１０】
前記少なくとも１つのプロセッサはさらに、前記チャネルをブランクすることによって生じたロスを補償するために、ブランクされていないチャネルにおいてより高い電力で送信するように構成された、請求項８に記載の無線通信装置。
【請求項１１】
干渉を緩和するために、制御チャネルをブランクする無線通信装置であって、
別の無線通信デバイス間の別の通信のために、前記無線通信装置の１または複数の制御チャネルに対する支配的な干渉を判定する手段と、
前記別のデバイスのうちの２つの間の少なくともパス・ロスに基づいて、前記１または複数の制御チャネルのうち、前記別の通信の品質を向上するためにブランクすべきいくつかを決定する手段と、
ブランクすると決定された前記１または複数の制御チャネルをブランクする手段と、
前記別のデバイスのうちの少なくとも１つから、相互にブランクすることを要求する手段と
を備え、
ブランクした後に１または複数の制御チャネルにわたってデバイス間で生じる通信は、前記デバイスの信号電力または信号対雑音比に関係なく達成される、無線通信装置。
【請求項１２】
前記無線通信装置の干渉のレベルを判定する手段をさらに備え、前記レベルは、前記ブランクする手段によって利用される、請求項１１に記載の無線通信装置。
【請求項１３】
ブランクすべき前記制御チャネルは、前記別のデバイスのうちの少なくとも１つから受信した情報に少なくとも部分的に基づいて決定される、請求項１２に記載の無線通信装置。
【請求項１４】
前記制御チャネルは、帯域幅の１または複数の隣接したフレームにわたって反復する、請求項１２に記載の無線通信装置。
【請求項１５】
前記ブランクすることは、帯域幅の前記１または複数の隣接したフレームのサブセットにわたって実行される、請求項１４に記載の無線通信装置。
【請求項１６】
前記ブランクすることを補償するために、帯域幅の別の部分において高い電力で送信する手段をさらに備える、請求項１１に記載の無線通信装置。
【請求項１７】
コンピュータ・プログラムであって、
少なくとも１つのコンピュータに対して、複数の通信デバイスによって利用される１または複数の制御チャネルに対する支配的な干渉を判定させるためのコードと、
少なくとも１つのコンピュータに対して、前記支配的な干渉を低減するためにブランクすべき前記１または複数の制御チャネルの少なくとも一部を選択させるためのコードと、
少なくとも１つのコンピュータに対して、前記１または複数の制御チャネルのうちの前記選択された部分における電力の少なくとも一部をブランクさせるためのコードと
を備え、
ブランクした後に１または複数の制御チャネルにわたってデバイス間で生じる通信は、前記デバイスの信号電力または信号対雑音比に関係なく達成される、コンピュータ・プログラム。
【請求項１８】
前記ブランクすることを補償するために、前記少なくとも１つのコンピュータに対して、帯域幅の別の部分において高い電力で送信させるためのコードをさらに備える、請求項１７に記載のコンピュータ・プログラム。
【請求項１９】
無線通信ネットワークにおける制御チャネルにわたる支配的な干渉をブランクすることを要求する方法であって、
無線デバイスとの通信において生じる支配的な干渉を検出することと、前記支配的な干渉は、１または複数の制御チャネルにおける支配的な干渉体デバイスからのものである、
前記支配的な干渉体デバイスから、前記１または複数の制御チャネルのサブセットをブランクすることを要求することと、
前記１または複数の制御チャネルで前記無線デバイスに制御データを送信することと、
前記支配的な干渉体によって使用されることとなる１または複数の制御チャネルを相互にブランクにする要求を前記支配的な干渉体デバイスから受信することと
を備える方法。
【請求項２０】
前記ブランクすることを要求するためにネットワーク構成要素を導入することをさらに備える、請求項１９に記載の方法。
【請求項２１】
パス・ロスに基づいて決定されたブランク係数に基づいて、前記支配的な干渉体デバイスから、前記１または複数の制御チャネルの前記サブセットをブランクすることを要求することをさらに備え、ブランクした後に１または複数の制御チャネルにわたってデバイス間で生じる通信は、前記デバイスの信号電力または信号対雑音比に関係なく達成される、請求項１９に記載の方法。
【請求項２２】
無線通信装置であって、
無線デバイスとの通信において生じた支配的な干渉を検出することと、前記支配的な干渉は、１または複数の制御チャネルにおける支配的な干渉体デバイスからのものである、
前記支配的な干渉体デバイスから、前記１または複数の制御チャネルのサブセットをブランクすることを要求することと、
前記１または複数の制御チャネルで前記無線デバイスに制御データを送信することと、
前記支配的な干渉体によって使用されることとなる１または複数の制御チャネルを相互にブランクにする要求を前記支配的な干渉体デバイスから受信することと
を行うように構成された少なくとも１つのプロセッサと、
前記少なくとも１つのプロセッサに結合されたメモリと
を備える無線通信装置。
【請求項２３】
前記少なくとも１つのプロセッサはさらに、前記支配的な干渉体デバイスからの前記要求にしたがって１または複数の制御チャネルをブランクするように構成された、請求項２２に記載の無線通信装置。
【請求項２４】
前記少なくとも１つのプロセッサはさらに、パス・ロスに基づいて決定されたブランク係数に基づいて、前記支配的な干渉体デバイスから、前記１または複数の制御チャネルの前記サブセットをブランクすることを要求するように構成され、ブランクした後に１または複数の制御チャネルにわたってデバイス間で生じる通信は、前記デバイスの信号電力または信号対雑音比に関係なく達成される、請求項２２に記載の無線通信装置。
【請求項２５】
干渉を受けた帯域幅の１または複数の部分をブランクすることを要求する無線通信装置であって、
無線デバイスとの通信において生じた支配的な干渉を検出する手段と、前記支配的な干渉は、１または複数の制御チャネルにおける支配的な干渉体デバイスからのものである、
前記支配的な干渉体デバイスから、前記１または複数の制御チャネルのサブセットをブランクすることを要求する手段と、
前記１または複数の制御チャネルで前記無線デバイスに制御データを送信する手段と、
前記支配的な干渉体によって使用されこととなる１または複数の制御チャネルを相互にブランクにする要求を前記支配的な干渉体デバイスから受信する手段と
を備える無線通信装置。
【請求項２６】
前記支配的な干渉体デバイスからの前記要求にしたがって１または複数の制御チャネルをブランクする手段をさらに備える、請求項２５に記載の無線通信装置。
【請求項２７】
前記支配的な干渉体デバイスから、前記１または複数の制御チャネルの前記サブセットをブランクすることを要求する前記手段は、パス・ロスに基づいて決定されたブランク係数に基づいて、ブランクすることを要求するようにさらに構成され、ブランクした後に１または複数の制御チャネルにわたってデバイス間で生じる通信は、前記デバイスの信号電力または信号対雑音比に関係なく達成される、請求項２５に記載の無線通信装置。
【請求項２８】
コンピュータ・プログラムであって、
少なくとも１つのコンピュータに対して、無線デバイスとの通信において生じた支配的な干渉を検出させるためのコードと、前記支配的な干渉は、１または複数の制御チャネルにおける支配的な干渉体デバイスからのものである、
少なくとも１つのコンピュータに対して、前記支配的な干渉体デバイスから、前記１または複数の制御チャネルのサブセットをブランクすることを要求させるためのコードと、
少なくとも１つのコンピュータに対して、前記１または複数の制御チャネルで前記無線デバイスに制御データを送信させるためのコードと、
少なくとも１つのコンピュータに対して、前記支配的な干渉体によって使用されることとなる１または複数の制御チャネルを相互にブランクにする要求を前記支配的な干渉体デバイスから受信させるためのコードと
を備えるコンピュータ・プログラム。
【請求項２９】
少なくとも１つのコンピュータに対して、前記支配的な干渉体デバイスからの前記要求にしたがって１または複数の制御チャネルをブランクさせるためのコードをさらに備える、請求項２８に記載のコンピュータ・プログラム。
【請求項３０】
少なくとも１つのコンピュータに対して、パス・ロスに基づいて決定されたブランク係数に基づいて、ブランクすることを要求させるためのコードをさらに備え、ブランクした後に１または複数の制御チャネルにわたってデバイス間で生じる通信は、前記デバイスの信号電力または信号対雑音比に関係なく達成される、請求項２８に記載のコンピュータ・プログラム。